(57)【要約】【課題】足や足指の自主的なストレッチトレーニングにより、足を鍛えることで脳が活性化すると共に、足裏のツボを刺激する相乗効果を得られる体の機能を整い、改善するとした自然治癒力を利用する一つ健康づくりの方法を図るツボ指圧の履物を提供する。【解決手段】指圧棒（１）を、バネ（４）が内蔵している靴底（６）に内設し、靴上面（８）に一定の長さを突出している指圧棒（１）は、弾発的に上下作動自在としたことを特徴とするツボ指圧の履物。【選択図】図１
2007098090.tif 000002
【特許請求の範囲】
【請求項１】
指圧棒（１）を、バネ（４）が内蔵している靴底（６）に内設し、靴上面（８）に一定の長さを突出している指圧棒（１）は、弾発的に上下作動自在としたことを特徴とするツボ指圧の履物。
【発明の詳細な説明】
【技術分野】
【０００１】    本発明は、足や足指の自主的なストレッチトレーニングにより、足を鍛えることで脳が活性化すると共に、足裏のツボを刺激する相乗効果を得られる体の機能を整い、改善するとした自然治癒力を利用する一つ健康づくりの方法を図るツボ指圧の履物に関するものである。
【背景技術】
【０００２】  従来の足裏マッサージ装置とは、指圧突起が一体且つ不規則に配置された足の踏台を、電動モーターにより足裏のツボを刺激するとした複雑な機構に仕組まれたものである。
使用する時に、本体の電気コードを電源に接続するため、プラグを壁などに届けられる範囲に設置されたコンセントに差し込み。
なお、足裏のツボを機械的及び電気的に刺激する健康の維持、増進を図ることが出来る足裏マッサージ装置の発明が知られている。
【特許文献１】特開２００３−１８０７９５号公報
【特許文献２】特開２００２−３２５８１９号公報
【発明が解決しようとする課題】
【０００３】  そのため、次のような問題があった。
（イ）指圧突起が足の踏台にばらばら配置されたため、足裏のツボを的中に刺激するのは不可能である。
（ロ）指圧突起と足の踏台は一体である構造で、個人差による足裏のツボ及び反射エリアに与えた感触の強さを選択することが出来ない欠点がある。
（ハ）足の踏台の本体に電動モーターが内蔵されで、構造が複雑となったため、商品化にするコストとしては不憫がある。
（ニ）使用する時に、身の近くに電源を接続するコンセントがないと、利用することが出来ない。
（ホ）また、本体と繋がっている電線コートを地面に散っているから、足元にちょっと不注意すると、足が引っかかれ、転がったり怪我したり災いに招かれる可能性がある。
（ヘ）尚且つ、電動モーターが付いているから、本体が重くなったため、外出や、旅行など随時携帯に対しては、不便がある。
（ト）なお、毎日１時間電気を使用するとしたら、年間３６５日を計算すると、かなりな電力を消耗し、環境よくないと思われる。
本発明は以上の問題点を解決するためになされたものである。
【課題を解決するための手段】
【０００４】  指圧棒（１）を、バネ（４）が内蔵している靴底（６）に内設し、靴上面（８）に一定の長さを突出している指圧棒（１）は、弾発的に上下作動自在としたものである。以上を特徴とするツボ指圧の履物である。
また、指圧部（Ａ）の構造としては、後で紹介した実施例２のように、指圧棒（１）と一体に形成している突起（２）と支台（３）を、３段分割して構成したものとしてもよい。また突起（２）の形状としては針形状や皿形状のものとしてもよい。その他の形状のものとしても考えられる。
なお、実施例２としては、後で紹介した実施例３のように、指圧棒から分割された突起部（Ｂ）は、突起（２）と突起下部に設けた首（９）の間に再分割して構成したものとしてもよい。
なお、指圧部（Ａ）を内設している履物の靴底（６）の形に形成としては、その他の形に形成したものとしてもよい。すなわち、ツボを指圧するに関する形成したものとしても考えられる。
【発明の効果】
【０００５】  この発明は、所定数ある指圧突起を足裏のツボに対応させて配置し、狙ったツボを的中に押圧し、より神経反射区による脳への刺激を与える。
また、突起と指圧棒の間に着脱自在することが出来るため、個人差を生じた足裏のツボと反射エリアに与えた感触の刺激度を選択することが出来る。
また、指圧棒の作動は、足と足指の自主的なストレッチトレーニングに行われ、機構が易しいため、商品化にする安いコストの提供を実現した。
また、使用するときに、電気が必要ないため、至る所で利用することが出来る。その上、電線コートも付いていないから、心地良く使用する環境を持たせられる。
尚且つ、構造が複雑でないので、重さは普通のスリッパと同じくらいで、外出や旅行などで気軽に携帯することが出来る。
なお、環境ホルモンに関する製品省資源化の一環として、電動モーターを足の働きに取り換えた発想で、環境保全に関する社会の義務、責任を果たした。
【発明を実施するための最良の形態】
【実施例１】
【０００６】  図１と図２と図３に基づいて実施例１を説明する
（イ）円形である指圧棒（１）の上部に、円錐状の突起（２）を形成し、下部に円盤の支台（３）を設ける。
（ロ）靴底（６）に、支台（３）の円形に合う凹部（５）を設ける。
（ハ）指圧棒（１）の支台（３）を、靴上面（８）の底面と、靴底（６）の凹部（５）に内蔵し、張設されているコイルバネ（４）の上面に当着し、靴底（６）の凹部（５）の間に内設する。
（ニ）指圧棒（１）の突起は、通し孔（７）に挿通し、靴上面（８）に所定の長さを突出する。
本発明は以上の構造からなるので使用するときは、足が靴上面（８）に足裏のツボを所定位置に突出された数ある指圧棒（１）の上に乗せ、指圧棒（１）を靴上面（８）に押し下げ、そして、まず、足指は足指の根元から一定回転範囲に作動し、足指に押圧された指圧棒（１）を押し外し、押し下げるとした一定リズムで靴上面（８）に上下自在動作する。こうした足指の動作を繰り返しと共に足指のツボを押圧できる。同様、足が足かどから一定回転範囲に作動し、前上がり下がり動作により、土踏まずに押圧された指圧棒（１）を押し外し、押し下げる。またその逆に足が足指から一定回転範囲に作動し、後ろから上がり、下がることによって、足かどに押圧された指圧棒（１）を押し外し、押し下げる。こうした足の動作を繰り返しと共に足のツボを押圧できる。以上、足や足指の全体のストレッチトレーニング働きと共に足裏のツボに刺激を与える。
【実施例２】
【０００７】  図４と図５に基づいて実施例２を説明する。
実施例１のものでは、指圧部（Ａ）に、指圧棒（１）上部の突起（２）と下部の支台（３）とが一体形成している。このため、足裏のツボが突起（２）に与えられた感触の刺激度を選択することが出来ず、また指圧棒（１）は常に靴上面（８）に突出しているため、収納にも不都合がある。
実施例２としては、指圧部（Ａ）に、指圧棒（１）を突起（２）と支台（３）との間に３段分割してもよい。分割された突起部（Ｂ）には、突起（２）下部に円台（１０）を設け、円台（１０）下端に首（９）と軸ピン（１１）を設け、軸ピン（１１）に合う形状軸穴（１２）を設けた指圧棒（１）を、突起（２）と着脱自在に圧着し、同様指圧棒（１）下部に取り付けネジ（Ａ）（１３）を設け、ネジ（Ａ）（１３）に合うネジ（Ｂ）（１３）を設けた支台（３）を、指圧棒（１）と着脱自在に螺着する。
以上の構造で、突起（２）の形状を選ぶことが出来た。また指圧棒（１）を外して、普通のスリッパのように使用することも出来る。尚且つ、旅行や外出するなど携帯するにも便利である。使用するときに再び取り付ければ良い。
【実施例３】
【０００８】  図６と図７と図８に基づいて実施例３を説明する
実施例１のものでは、指圧棒（１）は靴上面（８）の通し孔（７）に固定され、個人差による足指の長さが不一致であるため、指圧突起が狙っている足指のツボから外れることも考えられる。
実施例３としては、実施例２に分割された突起部（Ｂ）には、突起（２）と首（９）の間に再分割し、突起（２）を突起下端に設けられた円台（１０）中心からずれて形成し、突起（２）の円台（１０）の底面に長穴（１４）をあけ、長穴（１４）に合う形状を設けた首（９）に内設された回転軸（５）（２０）を、突起（２）と着脱自在に圧着する。
突起部（Ｂ）の構造としては、首（９）上部にある長さのオスネジ（２４）を設け、オスネジ（２４）の上面に円形のくぼみ（２５）をあけ、回転軸（２０）の腰部に、くぼみ（２５）の円形に合う形状フランジ（２１）を設け、回転軸（２０）のフランジ（２１）下部に穴（２２）をあけ、穴（２２）にピン（１９）を貫通している回転軸（２２）を、首（９）のくぼみ（２５）に内蔵された円盤にピン（１９）半円形状に合う凸凹を設けたカム（２２）のくぼみ上面に当接し、リングバネ（１８）は回転軸（２０）のフランジ（２１）上面に乗せ、回転軸（２０）上部を、首（９）のオスネジ（２４）を冠着したメスネジを設けたキャップ（１９）の貫通孔（１６）に挿通し、キャップ（１９）上面に突出して、突起（２）と着脱自在に圧着とした構造である。
以上の仕組みで、指で突起（２）の円台（１０）を回すと、回転軸（２０）に貫通されたピン（１９）が、カム（２３）の凸凹上面に当接しながら、３６０°に所定された区きり範囲に自由に回動し、突起（２）は回転軸（２０）中心にずれているから、足指のツボの位置を調整することが出来る。なお、回転軸（２０）のフランジ（２１）上面にリングバネ（１７）が常に押えられるため、摺動しない限り回転軸（２２）は回動しない。
【図面の簡単な説明】
【０００９】
【図１】本発明の斜視図
【図２】本発明の要部断面図
【図３】本発明の分解斜視図
【図４】本発明の斜視図
【図５】本発明の分解斜視図
【図６】本発明の斜視図
【図７】本発明の断面図
【図８】本発明の分解断面図
【符号の説明】
【００１０】Ａ    指圧部
Ｂ    突起部
１    指圧棒
２    突起
３    支台
４    バネ
５    凹部
６    靴底
７    通し孔
８    靴上面
９    首
１０  円台
１１  軸ピン
１２  軸穴
１３  ネジ
１４  長穴
１５  貫通孔
１６  メスネジ
１７  キャップ
１８  リングバネ
１９  ピン
２０  回転軸
２１  フランジ
２２  穴
２３  カム
２４  オスネジ
２５  くぼみ
【図１】
2007098090.tif 000003
【図２】
2007098090.tif 000004
【図３】
2007098090.tif 000005
【図４】
2007098090.tif 000006
【図５】
2007098090.tif 000007
【図６】
2007098090.tif 000008
【図７】
2007098090.tif 000009
【図８】
2007098090.tif 000010